(57)【要約】【課題】移動機体に連結され、牽引されながら耕耘された土壌を畝に成形する際に、畝の左右幅、高さ、畝頂部の形状などを容易に変更できるようにする。【解決手段】移動機体に連結される上下方向の連結杆２に対して、これと直交して左右方向に延び、かつ上下回動可能の支持バー５の左右両側部に、一対の畝成形体１０〜１２を左右間隔調節可能に設け、その後部に頂部成形板１５を、畝成形部の左右間隔調節に支障がない状態で支持バー５に取付けた。畝成形部は、前部に設けられる土寄せ板１１と、これと連続して設けられる畝成形板１２とからなり、畝成形板１２に、頂部成形板１５に対して摺動可能の摺動溝１６を形成した。頂部成形板１５は、支持バー５から後方に突設した取付け板１４に対して上下調節、かつ上下反転させて取付け可能であり、頂部成形板１５の上端縁と下端縁の形状を変えることにより、畝頂部の形状が変えられる。【選択図】        図１
2004222575.tif 000002
【特許請求の範囲】
【請求項１】
移動機体に連結され、牽引されながら耕耘された土壌を畝に成形する畝成形装置において、
移動機体に連結される上下方向の連結杆に対して、これと直交して左右方向に延び、かつ上下回動手段を介して上下方向に回動可能に支持された支持バーを設け、この支持バーの左右両側部に、鋤先部及び畝成形部からなる一対の畝成形体を左右間隔調節可能に設け、該畝成形体の後部に畝の頂部を成形する頂部成形板を、前記畝成形部の左右間隔調節に支障がない状態で前記支持バーに取付けたことを特徴とする畝成形装置。
【請求項２】
前記畝成形体の畝成形部は、前部に設けられる土寄せ板と、その後方に連続して設けられる畝成形板とからなり、該土寄せ板と畝成形板との境界部近傍の畝成形板に、前記頂部成形板に対して摺動可能の摺動溝を形成したことを特徴とする請求項１記載の畝成形装置。
【請求項３】
前記頂部成形板は、前記支持バーから後方に突設した取付け板に対して上下調節、かつ上下反転させて取付け可能であり、頂部成形板の上端縁と下端縁の形状を変えて、畝頂部の形状を変えられるようにしたことを特徴とする請求項１又は２記載の畝成形装置。
【請求項４】
前記頂部成形板の上端縁または下端縁の形状は、一方が畝頂部を円弧状に成形する円弧成形縁であり、他方は畝頂部を直線状に成形する直線成形縁であることを特徴とする請求項３記載の畝成形装置。
【発明の詳細な説明】
【０００１】
【産業上の利用分野】
本発明は、移動機体に連結され、牽引されながら耕耘された土壌を畝に成形する際に、畝の左右幅、高さ、畝頂部の形状などを容易に変更できるようにした畝成形装置に関する。
【０００２】
【従来の技術】
従来、周知の畝成形装置として、移動機体に連結される上下方向の連結杆に対して、これと直交して左右方向に延びる支持バーを設け、この支持バーの左右両側部に、鋤先部と畝成形部からなる一対の畝成形体を左右間隔調節可能に設け、前記左右の畝成形体間に畝の頂部を成形する頂部成形板を配設して、その両端部をそれぞれ左右の畝成形体に連結したものがある。この場合、畝成形部の左右間隔を調節しようとすると、左右長さの異なる頂部成形板を数種類用意する必要があった。
【０００３】
また、ロータリ耕耘機２の機枠３に左右一対の平行リンク４の前部を連結し、平行リンク４の後部にロータリ耕耘機２の耕幅より狭い畝を形成する畝成形具５を連結して左右位置変更自在にし、機枠３に対する平行リンク４の角度を固定して畝成形具５の左右変更位置を保持する保持手段６を設け、畝成形具５の左右外側方をガードするガード部材７を機枠３に取付けるようにした、構成が開示されている（例えば、特許文献１参照）。この先行技術の畝成形具５は、畝の左右側面を形成する左右側板３５と、畝の上面を成形する中央の上板３６とを有し、それぞれは支持棒を介して後支持バー３３に左右位置調整自在に、かつ上下位置調整自在に取り付けられており、ロータリ耕耘機２の耕幅より狭い畝を形成するように設定され、また、成形する畝の幅及び高さを調整できるようになっている。
【０００４】
【特許文献１】
特開平１０ー８４７０７号公報
【０００５】
【発明が解決しようとする課題】
上記先行技術のうち、前者のものは、畝成形部の左右間隔を調節しようとすると、左右長さの異なる頂部成形板を数種類用意する必要があった。また、後者のものは、左右側板３５を左右位置調整すると、中央の上板３６と干渉する場合があり、自由に左右位置調整ができなかった。また、上板３６の形状は一種類であり、畝頂部の形状を変えようとすると別の形状のものを用意する必要があった。
本発明は、上記の課題及び問題点を解決すべく、畝の左右幅、高さ及び畝頂部の形状などを、簡単、かつ容易に変更できる畝成形装置を提供することを目的とする。
【０００６】
【課題を解決するための手段】
上記の目的を達成するために本発明は、
Ａ．移動機体に連結され、牽引されながら耕耘された土壌を畝に成形する畝成形装置において、
移動機体に連結される上下方向の連結杆に対して、これと直交して左右方向に延び、かつ上下回動手段を介して上下方向に回動可能に支持された支持バーを設け、この支持バーの左右両側部に、鋤先部及び畝成形部からなる一対の畝成形体を左右間隔調節可能に設け、該畝成形体の後部に畝の頂部を成形する頂部成形板を、前記畝成形部の左右間隔調節に支障がない状態で前記支持バーに取付けたことを特徴としている。
【０００７】
Ｂ．前記畝成形体の畝成形部は、前部に設けられる土寄せ板と、その後方に連続して設けられる畝成形板とからなり、該土寄せ板と畝成形板との境界部近傍の畝成形板に、前記頂部成形板に対して摺動可能の摺動溝を形成したことを特徴としている。
Ｃ．前記頂部成形板は、前記支持バーから後方に突設した取付け板に対して上下調節、かつ上下反転させて取付け可能であり、頂部成形板の上端縁と下端縁の形状を変えて、畝頂部の形状を変えられるようにしたことを特徴としている。
Ｄ．前記頂部成形板の上端縁または下端縁の形状は、一方が畝頂部を円弧状に成形する円弧成形縁であり、他方は畝頂部を直線状に成形する直線成形縁であることを特徴としている。
【０００８】
【作用】
上記の構成によって本発明の畝成形装置は、
▲１▼．移動機体に連結される上下方向の連結杆に対して、これと直交して左右方向に延び、かつ上下回動手段を介して上下方向に回動可能に支持された支持バーを設け、この支持バーの左右両側部に、鋤先部及び畝成形部からなる一対の畝成形体を左右間隔調節可能に設け、該畝成形体の後部に畝の頂部を成形する頂部成形板を、前記畝成形部の左右間隔調節に支障がない状態で前記支持バーに取付けたことで、上下回動手段により支持バーを回動させると、畝成形体及び頂部成形板が上下回動して成形する畝の高さが調整できる。また、一対の畝成形体の左右間隔を調節することにより、畝の左右幅を変更でき、その際に畝成形体が頂部成形板と干渉することがない。
【０００９】
▲２▼．畝成形体の畝成形部は、前部に設けられる土寄せ板と、その後方に連続して設けられる畝成形板とからなり、該土寄せ板と畝成形板との境界部近傍の畝成形板に、前記頂部成形板に対して摺動可能の摺動溝を形成したことで、畝成形体の左右間隔を調節するとき、頂部成形板に対して畝成形体は摺動溝を介して摺動自在であり、所望の畝幅に調節された畝が成形される。
▲３▼．頂部成形板は、前記支持バーから後方に突設した取付け板に対して上下調節、かつ上下反転させて取付け可能であり、頂部成形板の上端縁と下端縁の形状を変えて、畝頂部の形状を変えられるようにしたことで、畝頂部の高さ、及び形状を容易に変更できる。
▲４▼．頂部成形板の上端縁または下端縁の形状は、一方が畝頂部を円弧状に成形する円弧成形縁であり、他方は畝頂部を直線状に成形する直線成形縁であることで、畝頂部の形状を円弧状、あるいは直線状に容易に変更できる。
【００１０】
【発明の実施の形態】
以下、本発明の一実施の形態を添付の図面を参照して具体的に説明する。
図１ないし図３において、符号１は、図示省略した移動機体のヒッチ部に連結されて、牽引されながら耕耘された土壌を畝に成形する畝成形装置である。この畝成形装置１の前部に、移動機体のヒッチ部に連結される上下方向の連結杆２が設けられ、該連結杆２の下端部から後方に延びるようにして支持杆３の先端部が固着され、Ｌ字型に形成されている。支持杆３の後部寄り部分に、二股状支持杆４の下端部が回動支点４ａを中心として前後回動可能に枢支され、二股状支持杆４の上端部に、連結杆２と直交して左右方向に延びる断面六角形をした支持バー５の中間位置が固着されている。この二股状支持杆４と支持バー５の固着位置に前端部を固着した回動支持杆６が後方に延びており、その後端部と前記支持杆３の後端部との間にネジ杆７が螺挿され、回動用グリップ７ａによりネジ杆７を回動することで、回動支持杆６を介して支持バー５が回動支点４ａを中心に前後方向に回動する。
【００１１】
支持バー５の左右両側部には、断面六角形の摺動支持筒８が軸方向に摺動可能に嵌挿され、固定ネジ８ａにより支持バー５の任意位置に固定される。摺動支持筒８には、連結アーム９を介して鋤先部１０及び畝成形部１１，１２からなる一対の畝成形体を連結している。従って、畝成形体は、支持バー５を前後方向に回動することで形成される畝の高さを変えることができ、また、摺動支持筒８の左右間隔を調節することにより、形成する畝の幅を変えることができる。前記回動支持杆６の後端部に先端部を固着した後部連結杆１３が後方に延び、その後端部に取付け板１４を固着している。該取付け板１４には、畝成形体の後部に位置して畝の頂部を成形する頂部成形板１５が、前記畝成形部１１，１２の左右間隔調節に支障がない状態で、回動支持杆６を介して前記支持バー５に取付けられている。
【００１２】前記畝成形体の畝成形部は、前部に設けられる土寄せ板１１と、その後方に連続して設けられる畝成形板１２とからなり、該土寄せ板１１と畝成形板１２との境界部近傍の畝成形板１２に、図４にも示すように、前記頂部成形板１５に対して摺動可能の摺動溝１６を形成している。前記頂部成形板１５は、前記支持バー５から後方に突設した取付け板１４に対して、上下調節、かつ上下反転させて取付け可能であり、また、頂部成形板１５の上端縁と下端縁の形状を変えることにより、上下反転して使用することにより畝頂部の形状を変えることができる。また、頂部成形板１５に掛かる力は、摺動溝１６を介して畝成形板１２でも受けることになり、頂部成形板１５の補強効果もある。
【００１３】
前記頂部成形板１５は滑りの良い合成樹脂板からなり、その下端縁の形状は直線縁１５ａであり、上端縁は円弧縁１５ｂに成形され、左右一対の長孔１５ｃからなる取付け孔を穿設している。一方、取付け板１４には左右一対の取付けボルト１７が後方に向け突出され、この取付けボルト１７に、頂部成形板１５の長孔１５ｃを挿通し、縦長の押さえ板１８，ワッシャ１８ａを介して蝶ネジ１９により締め付けて固定する。そのとき、長孔１５ｃの長さ範囲で頂部成形板１５を上下移動することで頂部成形板１５により形成される畝頂部の高さ調節が行われ、また、上下反転することにより、形成される畝頂部の形状が変えられる。この実施例では、図１ないし図３の状態では畝頂部は直線状に成形されるが、頂部成形板１５を上下反転させると、畝頂部が円弧状に形成される。なお、頂部成形板１５の上端縁と下端縁の形状は、この実施例のように直線状と円弧状に限らず、例えば、畝上面に播種溝や作物移植溝を形成する形状や、その他の形状にして使い分けることもできる。
【００１４】
次に、上記のように構成された畝成形装置の動作について説明する。
畝成形装置１は、例えば、歩行型トラクタの後部ヒッチや、ロータリ耕耘装置の後部ヒッチ等に連結杆２が連結されて、牽引されながら耕耘された土壌を畝に成形する。畝成形装置１が前進すると、まず耕耘土壌中に左右の鋤先部１０が所定深さまで入り込み、耕耘土壌をそれぞれ内側に向け案内し、続いて畝成形部の土寄せ板１１に引き継がれて後方に送られ、畝成形板１２及び頂部成形板１５により畝が形成される。畝成形板１２では畝の左右両側部が形成され、頂部成形板１５では上方から押しつけるようにして畝の頂部を形成する。
【００１５】
成形する畝の幅を調節するときは、固定ネジ８ａを緩めて摺動支持筒８を支持バー５沿って移動させ、連結アーム９を介して畝成形体を移動させて固定し、左右の畝成形体の間隔を変えるようにすればよい。また、畝の高さを調節するときは、結杆２の移動機体への連結高さを変えることによっても行えるが、本発明では、回動用グリップ７ａによりネジ杆７を回動することにより、回動支持杆６を介して支持バー５を回動支点４ａを中心に前後方向に回動させることにより畝高さを微細に変えることができる。また、頂部成形板１５を長孔１５ｃの長さ範囲で上下移動させることによっても行える。さらに、形成される畝の頂部の形状を変えるときは、頂部成形板１５を上下反転させることで、少なくとも２種類の形状に成形することができる。
【００１６】
【発明の効果】
以上説明したように本発明の畝成形装置によれば、請求項１〜４の構成を有することにより、以下の作用効果を奏することができる。
▲１▼．移動機体に連結される上下方向の連結杆に対して、これと直交して左右方向に延び、かつ上下回動手段を介して上下方向に回動可能に支持された支持バーを設け、この支持バーの左右両側部に、鋤先部及び畝成形部からなる一対の畝成形体を左右間隔調節可能に設け、該畝成形体の後部に畝の頂部を成形する頂部成形板を、前記畝成形部の左右間隔調節に支障がない状態で前記支持バーに取付けたので、上下回動手段により支持バーを回動させると、畝成形体及び頂部成形板が上下回動して成形する畝の高さを調整することができる。また、一対の畝成形体の左右間隔を調節することにより、畝の左右幅を変更することができ、その際に畝成形体が頂部成形板と干渉することがない。
【００１７】
▲２▼．畝成形体の畝成形部は、前部に設けられる土寄せ板と、その後方に連続して設けられる畝成形板とからなり、該土寄せ板と畝成形板との境界部近傍の畝成形板に、前記頂部成形板に対して摺動可能の摺動溝を形成したので、畝成形体の左右間隔を調節するとき、頂部成形板に対して畝成形体は摺動溝を介して摺動自在であり、所望の畝幅に調節した畝を成形することができる。
▲３▼．頂部成形板は、前記支持バーから後方に突設した取付け板に対して上下調節、かつ上下反転させて取付け可能であり、頂部成形板の上端縁と下端縁の形状を変えて、畝頂部の形状を変えられるようにしたので、畝頂部の高さ、及び形状を容易に変更することができる。
▲４▼．頂部成形板の上端縁または下端縁の形状は、一方が畝頂部を円弧状に成形する円弧成形縁であり、他方は畝頂部を直線状に成形する直線成形縁であるので、畝頂部の形状を円弧状、あるいは直線状に容易に変更することができる。
【図面の簡単な説明】
【図１】本発明による畝成形装置の斜め前方からの斜視図である。
【図２】同側方からの斜視図である。
【図３】同背面図である。
【図４】同畝頂部成形板を取り外した状態の背面図である。
【符号の説明】
１  畝成形装置
２  連結杆
３  支持杆
４  二股状支持杆    ４ａ    回動支点
５  支持バー
６  回動支持杆
７  ネジ杆    ７ａ  回動用グリップ
８  摺動支持筒  ８ａ  固定ネジ
９  連結アーム
１０  鋤先部
１１  畝成形部（土寄せ板）
１２  畝成形板
１３  後部連結杆
１４  取付け板
１５  頂部成形板    １５ａ  直線縁  １５ｂ  円弧縁  １５ｃ  長孔
１６  摺動溝
１７  取付けボルト
１８  押さえ板  １８ａ  ワッシャ
１９  蝶ネジ
【図１】
2004222575.tif 000003
【図２】
2004222575.tif 000004
【図３】
2004222575.tif 000005
【図４】
2004222575.tif 000006